(57)【要約】【課題】  装置への負荷を抑えてサムネイルを表示する画像処理装置、サムネイル表示方法、サムネイル表示プログラム、サムネイル表示プログラムを記録した記録媒体を提供する。【解決手段】  画像データに対応する画像のサムネイルを表示する表示手段と、画像データを蓄積する画像データ蓄積手段とを有する画像処理装置であって、表示手段が表示するサムネイルに対応するサムネイル用画像データが記憶される画像データ記憶手段と、画像データ蓄積手段に蓄積された画像データからサムネイル用画像データを生成する生成手段と、生成されたサムネイル用画像データを、画像データ蓄積手段から画像データ記憶手段に転送する転送手段と、サムネイル用画像データを、転送手段を用いて転送するかどうか判断する判断手段とを有し、表示手段は、判断手段がサムネイル用画像データを転送しないと判断した場合、該画像データに対応する画像のサムネイルの表示を保留したことを示す保留画像を表示する。【選択図】  図１
2006108894.tif 000002
【特許請求の範囲】
【請求項１】
画像データに対応する画像のサムネイルを表示する表示手段と、画像データを蓄積する画像データ蓄積手段とを有する画像処理装置であって、
前記表示手段が表示するサムネイルに対応するサムネイル用画像データが記憶される画像データ記憶手段と、
前記画像データ蓄積手段に蓄積された画像データから前記サムネイル用画像データを生成する生成手段と、
生成された前記サムネイル用画像データを、前記画像データ蓄積手段から前記画像データ記憶手段に転送する転送手段と、
前記サムネイル用画像データを、前記転送手段を用いて転送するかどうか判断する判断手段とを有し、
前記表示手段は、前記判断手段が前記サムネイル用画像データを転送しないと判断した場合、該画像データに対応する画像のサムネイルの表示を保留したことを示す保留画像を表示することを特徴とする画像処理装置。
【請求項２】
前記表示手段は、保留が解除されると、表示が保留されていたサムネイルを表示することを特徴とする請求項１に記載の画像処理装置。
【請求項３】
前記保留は、前記表示保留画像がユーザにより選択されることにより解除されることを特徴とする請求項２に記載の画像処理装置。
【請求項４】
前記保留の解除により表示されるサムネイルは、前記画像データ蓄積手段に蓄積された画像データに対応する画像の部分画像のサムネイルであることを特徴とする請求項２または３に記載の画像処理装置。
【請求項５】
前記部分画像の範囲は、ユーザにより設定可能であることを特徴とする請求項４に記載の画像形成装置。
【請求項６】
前記判断手段は、前記画像データ蓄積手段に蓄積された画像データのデータサイズに基づき判断することを特徴とする請求項１から５のいずれか１項に記載の画像処理装置。
【請求項７】
画像データに対応する画像のサムネイルを表示するサムネイル表示方法であって、
前記画像のサムネイルを全面表示するかどうか判断する判断段階と、
前記判断段階で、全面表示しないと判断した場合、該画像のサムネイルの表示を保留したことを示す保留画像を表示する保留画像表示段階と
を有することを特徴とするサムネイル表示方法。
【請求項８】
保留されていたサムネイルを表示する保留解除段階をさらに有することを特徴とする請求項７に記載のサムネイル表示方法。
【請求項９】
前記保留の解除により表示されるサムネイルは、前記画像データに対応する画像の部分画像のサムネイルであることを特徴とする請求項７または８に記載の画像処理装置。
【請求項１０】
前記部分画像の範囲は、ユーザにより設定可能であることを特徴とする請求項９に記載のサムネイル表示方法。
【請求項１１】
前記判断段階では、前記画像データのデータサイズに基づき判断することを特徴とする請求項７から１０のいずれか１項に記載のサムネイル表示方法。
【請求項１２】
請求項７から１１のいずれか１項に記載のサムネイル表示方法をコンピュータで実行するためのサムネイル表示プログラム。
【請求項１３】
請求項１２に記載のサムネイル表示プログラムを記録した記録媒体。
【発明の詳細な説明】
【技術分野】
【０００１】
本発明は、サムネイルを表示する画像処理装置、サムネイル表示方法、サムネイル表示プログラム、サムネイル表示プログラムを記録した記録媒体に関する。
【背景技術】
【０００２】
複数の画像データの内容を確認することなどに用いられるサムネイルは、画像を所定の大きさの枠内に収めるため、画像本来の解像度を落とすなどして画像を表示するものである。このサムネイルは、容易に複数の画像の内容が確認できるため、多くのアプリケーションやＯＳにサポートされている。また、複写機などの操作部の画面にサムネイルを表示するものもある。
【発明の開示】
【発明が解決しようとする課題】
【０００３】
しかしながら、上述したようにサムネイルは、１つの画像を表示することは少なく、通常は複数の画像を表示するものであるため、表示する処理はＣＰＵなどに負荷がかかる。特に、画像サイズの大きいものは、データサイズが大きいため、画像データの転送や、サムネイル用の画像データを生成することに時間がかかるとともに、ＶＲＡＭなどのメモリの多くを占有することになる。
【０００４】
このように、サムネイルを表示することは、ハードウェア資源など、装置のリソースを大量に消費することとなり装置全体に負荷をかけることとなる。したがって、複写機にとっては、本来の処理であるコピーやプリンタなどの処理に大きな影響を与える。
【０００５】
本発明は、このような問題点に鑑み、装置への負荷を抑えてサムネイルを表示する画像処理装置、サムネイル表示方法、サムネイル表示プログラム、サムネイル表示プログラムを記録した記録媒体を提供することを目的とする。
【課題を解決するための手段】
【０００６】
上記課題を解決するために、本発明は、画像データに対応する画像のサムネイルを表示する表示手段と、画像データを蓄積する画像データ蓄積手段とを有する画像処理装置であって、前記表示手段が表示するサムネイルに対応するサムネイル用画像データが記憶される画像データ記憶手段と、前記画像データ蓄積手段に蓄積された画像データから前記サムネイル用画像データを生成する生成手段と、生成された前記サムネイル用画像データを、前記画像データ蓄積手段から前記画像データ記憶手段に転送する転送手段と、前記サムネイル用画像データを、前記転送手段を用いて転送するかどうか判断する判断手段とを有し、前記表示手段は、前記判断手段が前記サムネイル用画像データを転送しないと判断した場合、該画像データに対応する画像のサムネイルの表示を保留したことを示す保留画像を表示することを特徴とする。
【０００７】
また、上記課題を解決するために、本発明は、前記表示手段は、保留が解除されると、表示が保留されていたサムネイルを表示することを特徴とする。
【０００８】
また、上記課題を解決するために、本発明は、前記保留は、前記表示保留画像がユーザにより選択されることにより解除されることを特徴とする。
【０００９】
また、上記課題を解決するために、本発明は、前記保留の解除により表示されるサムネイルは、前記画像データ蓄積手段に蓄積された画像データに対応する画像の部分画像のサムネイルであることを特徴とする。
【００１０】
また、上記課題を解決するために、本発明は、前記部分画像の範囲は、ユーザにより設定可能であることを特徴とする。
【００１１】
また、上記課題を解決するために、本発明は、前記判断手段は、前記画像データ蓄積手段に蓄積された画像データのデータサイズに基づき判断することを特徴とする。
【００１２】
また、上記課題を解決するために、本発明は、画像データに対応する画像のサムネイルを表示するサムネイル表示方法であって、前記画像のサムネイルを全面表示するかどうか判断する判断段階と、前記判断段階で、全面表示しないと判断した場合、該画像のサムネイルの表示を保留したことを示す保留画像を表示する保留画像表示段階とを有することを特徴とする。
【００１３】
また、上記課題を解決するために、本発明は、保留されていたサムネイルを表示する保留解除段階をさらに有することを特徴とする。
【００１４】
また、上記課題を解決するために、本発明は、前記保留の解除により表示されるサムネイルは、前記画像データに対応する画像の部分画像のサムネイルであることを特徴とする。
【００１５】
また、上記課題を解決するために、本発明は、前記部分画像の範囲は、ユーザにより設定可能であることを特徴とする。
【００１６】
また、上記課題を解決するために、本発明は、前記判断段階では、前記画像データのデータサイズに基づき判断することを特徴とする。
【発明の効果】
【００１７】
以上説明したように、本発明は装置への負荷を抑えてサムネイルを表示する画像処理装置、サムネイル表示方法、サムネイル表示プログラム、サムネイル表示プログラムを記録した記録媒体を提供することができる。
【発明を実施するための最良の形態】
【００１８】
以下、図面を参照し、本発明の実施形態について説明する。
【００１９】
まず最初に、本実施の形態での処理の理解を容易にするために、図１、２を用いて実施の形態の概要について説明する。
【００２０】
図１は、サムネイルを表示した画面を示す図である。図１に示されるサムネイルには、４つの画像があり、そのうちの画像１００は、「！」となっている。この画像１００は、本来表示されるべき画像のサムネイルの表示が保留されていることを示す画像である。この画像１００の下には、本来表示されるべき画像のファイル名が記される。
【００２１】
表示を保留された画像は、リソースを多く消費する例えばサイズの大きい画像である。この本来の画像を表示するためには、例えばユーザが画像１００をマウスで選択することにより保留が解除され、図２に示されるような、本来の画像のサムネイルである画像１０１が表示される。
【００２２】
このように、データサイズの大きい画像のサムネイルをひとまず表示しないことにより、画像処理装置への負荷を抑えるようになっている。
【００２３】
以上が本実施の形態の概要である。次に、上記処理を実行する画像処理装置について説明する。図３は、画像処理装置のソフトウェアブロックを示すものである。図３には、制御部１１０と、画像管理部１１１と、蓄積用画像記憶部１１２と、画像属性保存用記憶部１１３と、表示管理部１１４と、表示用画像記憶部１１５と、サムネイル非表示用記憶部１１６と、表示部１１７とが示されている。
【００２４】
制御部１１０は、画像処理装置全体の制御を行う。画像管理部１１１は、画像データの圧縮、生成など画像データの管理を行う。また、画像管理部１１１は、画像データからサムネイル用画像データを生成する。蓄積用画像記憶部１１２は、画像データを記憶する。画像属性保存用記憶部１１３は、後述する画像データの属性を保存する。表示管理部１１４は、サムネイルの表示に関する管理を行う。表示用画像記憶部１１５は、サムネイルとして表示される画像データを記憶する。サムネイル非表示用画記憶部１１６は、図１で説明した画像１００のような、サムネイルの表示を保留したことを示す保留画像が記憶されている。表示部１１７は、ユーザに対して画像を表示するものである。
【００２５】
なお、上述した制御部１１０は、判断手段に対応する。画像管理部１１１は、転送手段と生成手段に対応する。蓄積用画像記憶部１１２は、画像データ蓄積手段に対応する。表示管理部１１４と表示部１１７は、表示手段に対応する。表示用画像記憶部１１５は、画像データ記憶手段１１５に対応する。
【００２６】
次に、画像処理装置のハードウェア構成を、図４を用いて説明する。画像処理装置は、コントローラボード６０と、オペレーションパネル５３と、ＦＣＵ６８と、エンジン７１と、プロッタ７２とを含む。また、ＦＣＵ６８は、Ｇ３規格対応ユニット６９と、Ｇ４規格対応ユニット７０とを有する。
【００２７】
また、コントローラボード６０は、ＣＰＵ６１と、ＡＳＩＣ６６と、ＨＤＤ６５と、ローカルメモリ（ＭＥＭ−Ｃ）６４と、システムメモリ（ＭＥＭ−Ｐ）６３と、ノースブリッジ（以下、ＮＢと記す）６２と、サウスブリッジ（以下、ＳＢと記す）７３と、ＮＩＣ７４（Network Interface Card）と、ＵＳＢデバイス７５と、ＩＥＥＥ１３９４デバイス７６と、セントロニクスデバイス７７とを含む。
【００２８】
オペレーションパネル５３は、コントローラボード６０のＡＳＩＣ６６に接続されている。また、ＳＢ７３と、ＮＩＣ７４と、ＵＳＢデバイス７５と、ＩＥＥＥ１３９４デバイス７６と、セントロニクスデバイス７７は、ＮＢ６２にＰＣＩバスで接続されている。
【００２９】
また、ＦＣＵ６８と、エンジン７１と、プロッタ７２は、コントローラボード６０のＡＳＩＣ６６にＰＣＩバスで接続されている。
【００３０】
なお、コントローラボード６０は、ＡＳＩＣ６６にローカルメモリ６４、ＨＤＤ６５などが接続されると共に、ＣＰＵ６１とＡＳＩＣ６６とがＣＰＵチップセットのＮＢ６２を介して接続されている。このように、ＮＢ６２を介してＣＰＵ６１とＡＳＩＣ６６とを接続すれば、ＣＰＵ６１のインタフェースが公開されていない場合に対応できる。
【００３１】
なお、ＡＳＩＣ６６とＮＢ６２とはＰＣＩバスを介して接続されているのでなく、ＡＧＰ（Accelerated Graphics Port）６７を介して接続されている。このように、一つ以上のプロセスを実行制御するため、ＡＳＩＣ６６とＮＢ６２とを低速のＰＣＩバスでなくＡＧＰ３５を介して接続し、パフォーマンスの低下を防いでいる。
【００３２】
ＣＰＵ６１は、画像処理装置の全体制御を行うものである。ＮＢ６２は、ＣＰＵ６１、システムメモリ６３、ＳＢ７３およびＡＳＩＣ６６を接続するためのブリッジである。システムメモリ６３は、サムネイルを記憶するメモリである。ＳＢ７３は、ＮＢ６２とＰＣＩバス、周辺デバイスとを接続するためのブリッジである。また、ローカルメモリ６４は画像データを記憶するメモリである。
【００３３】
ＡＳＩＣ６６は、画像処理用のハードウェア要素を有する画像処理用途向けのＩＣである。ＨＤＤ６５は、画像データの蓄積、文書データの蓄積、プログラムの蓄積、フォントデータの蓄積、フォームの蓄積などを行うためのストレージである。また、オペレーションパネル５３は、ユーザからの入力操作を受け付けると共に、ユーザに向けた表示を行う操作部である。サムネイルは、このオペレーションパネルに表示される。
【００３４】
なお、図３で説明した蓄積用画像記憶部１１２は、ＨＤＤ６５またはローカルメモリ６４に画像データを記憶する。画像属性保存用記憶部１１３も同様にＨＤＤ６５、ローカルメモリ６４または図示しない例えばＮＶ−ＲＡＭ（Non-Volatile）に記憶する。表示用画像記憶部１１５、サムネイル非表示用画像記憶部１１６は、システムメモリ６３に記憶する。表示部１１７は、オペレーションパネル５３にサムネイルなどを表示する。
【００３５】
次に、図５を用いて、画像データからサムネイルが表示されるまでのデータの流れについて説明する。
【００３６】
図５には、全体画像１２０と、画像１２４、１２５、１２７と、部分画像１２１と、圧縮画像データ１２２と、保留画像１２６とが示されている。また、図５には、圧縮画像データ領域１２３と、伸長後画像データ領域１２８と、表示用メモリ１２９とが示されているが、これらの領域は、表示用画像記憶部１１５が管理するメモリ領域である。
【００３７】
画像１２０は、蓄積用画像記憶部１１２が記憶した画像データに対応する。画像１２０のような、全体の画像の場合、全体画像と表現することがある。部分画像１２１は、図に示されるように画像１２０の右下部分の画像である。この部分画像とは、全体画像に含まれる範囲での画像で、全体画像も部分画像の一つの要素である。
【００３８】
圧縮画像データ１２２は、部分画像１２１に対応する画像データを圧縮したものである。画像１２４は、圧縮画像１２２を伸長し、伸長後画像データ領域１２８に記憶されている画像データに対応する画像である。画像１２５は、表示用メモリ１２９に記憶されている画像データに対応する画像である。画像１２６は、保留画像を示し、サムネイル非表示用画像メモリ１１８に記憶されている画像データに対応するものである。画像１２７は、実際にオペレーションパネル５３に表示された画像を示す。
【００３９】
次に、データの流れについて説明する。ステップＳ１０１で、部分画像１２１に対応する画像データを圧縮し、圧縮画像データ１２２が生成される。ステップＳ１０２で、圧縮画像データ１２２は、圧縮画像データ領域１２３へ転送される。ステップＳ１０３で、圧縮画像データ１２２は伸長され、伸長後画像データ領域１２８へ展開される。伸長された画像データは、ステップＳ１０４で、表示用メモリ１２９に展開される。表示用メモリ１２９へ展開された画像データは、ステップＳ１０５で、オペレーションパネル５３に表示される。
【００４０】
このように、画像データの転送は、ステップＳ１０２、ステップＳ１０３、ステップＳ１０４で行われる。この転送処理は、データサイズが大きければ当然リソースを消費する処理となる。したがって、画像データのデータサイズが大きい場合、サムネイルとして保留画像を表示し、ユーザの必要に応じてデータサイズが大きい画像のサムネイルを表示することで、リソースを有効に利用することができる。また、データサイズが大きい画像データを表示しないことで、他の画像の表示パフォーマンスが高まる。
【００４１】
次に、サムネイルとして表示する部分画像を設定する処理について説明する。図６は、ユーザが部分画像の設定を行う画面を示すものである。図６に示される画面は、表示範囲設定画面である。この画面には、始点設定ボタン１３０と、原稿方向ボタン１３１と、タテボタン１３６と、ヨコボタン１３７と、全体画像１３４と、部分画像１３５と、取消ボタン１３２と、設定ボタン１３３とが表示される。
【００４２】
始点設定ボタン１３０は、部分画像を設定するために範囲を設定する最初の点を定めるものである。例えば、右下をユーザが押下すると右下の頂点から範囲の設定を行うことができる。
【００４３】
原稿方向ボタン１３１は、原稿のタテ、ヨコを設定するものである。ユーザがタテを押下すると、全体画像１３４は、縦長に表示され、ヨコを押下すると、全体画像１３４は、横長に表示される。タテボタン１３６は、設定された始点からの距離を入力するためのものである。ヨコボタン１３７も同様に、設定された始点からの距離を入力するためのものである。
【００４４】
取消ボタン１３２は、この設定を取り消すものである。設定ボタン１３３は、この設定を確定させるものである。
【００４５】
このような設定を行ったときの全体画像と部分画像を、図７を用いて説明する。図７は、全体画像と部分画像を示す図である。図７に示されるように、部分画像１３５は、全体画像１３４の右下の頂点を含む四角形の範囲となる。この範囲がサムネイルを表示したときに表示される。
【００４６】
実際にサムネイルとして表示された様子を示すのが、図８に示されるサムネイルである。画像１４０に示されるように、図７での部分画像１３５が、サムネイルとして表示される。
【００４７】
次に、実際の処理について、フローチャートを用いて説明する。図９は、サムネイルを表示する処理を示すフローチャートである。ステップＳ２０１で、制御部１１０は、サムネイルで表示する画像数を取得する。次に、制御部１１０は、ステップＳ２０２で、全画像の表示処理が完了したかどうか判断する。完了した場合、処理は終了する。
【００４８】
完了していない場合、処理はステップＳ２０３へ進む。ステップＳ２０３で、制御部１１０は、画像の全面表示の可否判定処理を実行する。この処理の詳細は後述するフローチャートで説明する。
【００４９】
制御部１１０は、ステップＳ２０４で、画像を全面表示するかどうか判断する。この判断では、ユーザにより設定された範囲が、画像全体以上の場合も全面表示と判断される。全面表示と判断した場合、制御部１１０は、ステップＳ２０５で、画像管理部１１１に画像データの転送処理を行わせる。そして、ステップＳ２０６で、画像表示処理が行われ、画像がサムネイルとして表示される。その後、再びステップＳ２０２の処理が行われる。
【００５０】
ステップＳ２０４に戻り、画像を全面表示しない場合、制御部１１０は、ステップＳ２０７で部分画像の範囲が設定されているかどうか判断する。範囲が設定されている場合、制御部１１０は、ステップＳ２０８で、画像管理部１１１に設定された範囲の画像データの転送処理を行わせ、その画像は、ステップＳ２０６で表示される。
【００５１】
ステップＳ２０７で、範囲が設定されていないと判断された場合、制御部１１０は、ステップＳ２０９で、表示管理部１１４に保留画像を表示させる。このとき、本来表示すべき画像のファイル名は表示される。
【００５２】
上述したステップＳ２０４、２０７は、判断段階に対応する。ステップＳ２０９は、保留画像表示段階に対応する。
【００５３】
次に、ステップＳ２０３の処理の詳細を、図１０のフローチャートを用いて説明する。ステップＳ３０１で、制御部１１０は、画像データの画像属性を取得する。次のステップＳ３０２で、制御部は、画像データの画像属性に範囲が設定されているかどうか判断する。ここで、画像属性とは、例えば製図や企画書など、画像データの種類を示すものである。この画像属性は、画像データに設定できるとともに、画像属性ごとに予め部分画像の範囲を設定することができる。したがって、画像データに画像属性が設定されており、その画像属性に範囲が設定されていれば、設定された範囲に基づきサムネイルを表示することができる。
【００５４】
よって、ステップＳ３０２で、画像属性に範囲が設定されているかどうか判断する。範囲が設定されている場合、ステップＳ３０３で、制御部１１０は、範囲に関する情報を取得する。次に、制御部１１０は、ステップＳ３０４で、部分画像データは、表示用メモリに収容可能かどうか判断する。制御部１１０は、収容可能と判断した場合、ステップＳ３０７で部分画像を表示することに決定する。収容不可能と判断した場合、制御部１１０は、ステップＳ３０６で、ユーザに範囲の入力を促す。
【００５５】
ステップＳ３０２で、範囲が設定されていないと判断した場合、ステップＳ３０５で、制御部１１０は、画像データが表示用メモリに収容可能かどうか判断する。収容可能と判断した場合、ステップＳ３０９で、制御部１１０は全面表示することに決定する。収容不可能と判断した場合、制御部１１０は、ステップＳ３０８で、ユーザに範囲の入力を促す。
【００５６】
次に、図９におけるステップＳ２０５の処理を、図１１のフローチャートを用いて説明する。ステップＳ４０１で、画像管理部１１１は、全体画像データの画像データ圧縮処理を行う。ステップＳ４０２で、画像管理部１１１は、圧縮画像データの表示用画像記憶部への転送処理を行う。
【００５７】
次に、表示管理部１１４は、ステップＳ４０３で、圧縮画像データの伸長処理を行う。そして、表示管理部１１４は、ステップＳ４０４で、伸長された画像データを表示用メモリにＤＭＡ転送する。
【００５８】
次に、図９におけるステップＳ２０８の処理を、図１２のフローチャートを用いて説明する。ステップＳ５０１で、制御部１１０は、部分画像の範囲情報を取得する。ステップＳ５０２で、画像管理部１１１は、部分画像データの画像データ圧縮処理を行う。ステップＳ５０３で、画像管理部１１１は、圧縮画像データの表示用画像記憶部への転送処理を行う。
【００５９】
次に、表示管理部１１４は、ステップＳ５０４で、圧縮画像データの伸長処理を行う。そして、表示管理部１１４は、ステップＳ５０５で、伸長された画像データを表示用メモリにＤＭＡ転送する。
【００６０】
次に、図１３のフローチャートを用いて、保留画像が選択され、サムネイルを表示する処理について説明する。まず、保留解除段階に対応するステップＳ６０１で、制御部１１０は、ユーザにより保留画像が選択されたことを認識する。次のステップＳ６０２で、制御部１１０は、画像表示範囲設定画面を表示する。ステップＳ６０３で、制御部１１０は、ユーザにより設定された表示する画像の範囲に関する情報を取得する。ステップ６０４で、画像管理部１１１は、部分画像データの転送処理を行う。ステップＳ６０５で、表示管理部１１４は、部分画像の画像表示処理を行う。
【図面の簡単な説明】
【００６１】
【図１】保留画像を含むサムネイルを示す図である。
【図２】保留を解除したサムネイルを示す図である。
【図３】画像処理装置のソフトウェアブロック図である。
【図４】画像処理装置のハードウェア構成図である。
【図５】画像データの流れを示す図である。
【図６】ユーザが部分画像の設定を行う画面を示す図である。
【図７】全体画像と部分画像を示す図である。
【図８】部分画像を含むサムネイルを示す図である。
【図９】サムネイルを表示する処理を示すフローチャートである。
【図１０】全面表示の可否判定処理を示すフローチャートである。
【図１１】全面表示の場合の画像データの転送処理を示すフローチャートである。
【図１２】部分画像の場合の画像データの転送処理を示すフローチャートである。
【図１３】保留画像が選択され、サムネイルを表示する処理を示すフローチャートである。
【符号の説明】
【００６２】
６０  コントローラボード
６１  ＣＰＵ
６２  ノースブリッジ（ＮＢ）
６３  システムメモリ（ＭＥＭ−Ｐ）
６４  ローカルメモリ（ＭＥＭ−Ｃ）
６５  ハードディスク装置（ＨＤＤ）
６６  ＡＳＩＣ
６７  ＡＧＰ（Accelerated Graphics Port）
６８  ファックスコントロールユニット（ＦＣＵ）
６９  Ｇ３
７０  Ｇ４
７１  エンジン
７２  プロッタ
７３  サウスブリッジ（ＳＢ）
７４  ＮＩＣ
７５  ＵＳＢデバイス
７６  ＩＥＥＥ１３９４デバイス
７７  セントロニクス
１００、１０１、１２０、１２４、１２５、１２７、１４０  画像
１１０  制御部
１１１  画像管理部
１１２  蓄積用画像記憶部
１１３  画像属性保存用記憶部
１１４  表示管理部
１１５  表示用画像記憶部
１１６  サムネイル非表示用画像記憶部
１１７  表示部
１２０、１３４  全体画像
１２１、１３５  部分画像
１２２  圧縮画像データ
１２３  圧縮画像データ領域
１２６  保留画像
１２８  伸長後画像データ領域
１２９  表示メモリ
１３０  始点設定ボタン
１３１  原稿方向ボタン
１３２  取消ボタン
１３３  設定ボタン
１３６  タテボタン
１３７  ヨコボタン
【図１】
2006108894.tif 000003
【図２】
2006108894.tif 000004
【図３】
2006108894.tif 000005
【図４】
2006108894.tif 000006
【図５】
2006108894.tif 000007
【図６】
2006108894.tif 000008
【図７】
2006108894.tif 000009
【図８】
2006108894.tif 000010
【図９】
2006108894.tif 000011
【図１０】
2006108894.tif 000012
【図１１】
2006108894.tif 000013
【図１２】
2006108894.tif 000014
【図１３】
2006108894.tif 000015